(57)【要約】  本発明はOvXDMシステムに適用される一種類のデコード方法を開示している。下記を含む：受信符号情報シーケンスと関連する拡大マトリックスBを生成する；上述拡大マトリックスBに対し特異値分解を行う；全体最小二乗法によりデコードし、デコード出力情報シーケンスを取得する。本発明は一種類のOvXDMシステムをも開示している。本発明の具体的な実施方法では、全体最小二乗法でデコードすることにより、伝統デコード方法では、例えばビタビデコードを採用する時に、大量の保存リソースが必要で（ルート保存と距離保存）、且つ重複回数の増加とともに、デコードの複雑度が急激に増える同時に、デコードプロセスは符号ごとにデコードし、デコード出力のリアルタイム性が低い問題を解決している。本発明は信号がノイズに干渉される時に、より精確なデコード結果を得られ、デコードプロセスを簡略化し、システムリソースを省き、デコードの複雑度を下げる同時にデコード効率を上げ、システムの性能を保証している。【選択図】図２
2019531023.tif 000002
【特許請求の範囲】
【請求項１】
OvXDMシステムに適用される一種類のデコード方法であって、下記を含む：
受信符号情報シーケンスと関連する拡大マトリックスBを生成する；
上述拡大マトリックスBに対し特異値分解を行う；
全体最小二乗法によりデコードし、デコード出力情報シーケンスを取得する。
【請求項２】
請求項１記載のOvXDMシステムに適用されるデコード方法において、
前記拡大マトリックスは、
2019531023.tif 000096
である；その中、Hは多重波形係数マトリックスで、yは受信符号情報シーケンスで、マトリックスBのサイズが
2019531023.tif 000097
、Nはデータフレーム長さで、Kは重複多重回数である。
【請求項３】
請求項２記載のOvXDMシステムに適用されるデコード方法において、
前記拡大マトリックスBに対し特異値分解を行う；前記拡大マトリックスBを
2019531023.tif 000098
に分割することを含み、その中、
2019531023.tif 000099
は
2019531023.tif 000100
のユニタリマトリックスであり、
2019531023.tif 000101
は
2019531023.tif 000102
の対角マトリックスであり、
2019531023.tif 000103
は
2019531023.tif 000104
のユニタリマトリックスである。
【請求項４】
請求項３記載のOvXDMシステムに適用されるデコード方法において、
前記全体最小二乗法によりデコードすることである；具体的には下記を含む：公式
2019531023.tif 000105
により上述受信された符号シーケンスをデコードする；その中、
2019531023.tif 000106
は
2019531023.tif 000107
の第
2019531023.tif 000108
列の第
2019531023.tif 000109
個の要素である。
【請求項５】
請求項１〜４のいずれか一項に記載のOvXDMシステムに適用されるデコード方法において、
前記シーケンスを生成する拡大マトリックスBの前には、さらに受信信号シーケンスに対し同期処理とチャンネルバランシングを行うことを含む。
【請求項６】
OvXDMシステムに適用される一種類のデコード装置であって、下記を含む：
処理モジュールは、受信符号情報シーケンスと関連する拡大マトリックスBを生成することに使われる；
分解モジュールは、上述拡大マトリックスBに対し特異値分解を行うことに使われる；
デコードモジュールは、全体最小二乗法によりデコードし、デコード出力情報シーケンスを取得することに使われる。
【請求項７】
請求項６記載のOvXDMシステムに適用されるデコード装置において、
前記拡大マトリックスは
2019531023.tif 000110
であることである；その中、Hは多重波形係数マトリックスで、yは受信符号情報シーケンスで、マトリックスBのサイズが
2019531023.tif 000111
、Nはデータフレーム長さで、Kは重複多重回数である。
【請求項８】
請求項７記載のOvXDMシステムに適用されるデコード装置において、
前記分解モジュールは、前記拡大マトリックスBを
2019531023.tif 000112
に分解することにも使われる；その中、
2019531023.tif 000113
は
2019531023.tif 000114
のユニタリマトリックスであり、
2019531023.tif 000115
は
2019531023.tif 000116
の対角マトリックスであり、
2019531023.tif 000117
は
2019531023.tif 000118
のユニタリマトリックスである。
【請求項９】
請求項８記載のOvXDMシステムに適用されるデコード装置において、
前記デコードモジュールは、公式
2019531023.tif 000119
により上述受信された符号シーケンスをデコードすることにも使われる；その中、
2019531023.tif 000120
は
2019531023.tif 000121
の第
2019531023.tif 000122
列の第
2019531023.tif 000123
個の要素である。
【請求項１０】
請求項６〜９のいずれか一項に記載のOvXDMシステムに適用される装置において、
更に、下記を含む：
前処理モジュールは、受信信号シーケンスに対し同期処理とチャンネルバランシングを行うことにも使われる。
【請求項１１】
一種類のOvXDMシステムであって、
請求項６〜１０のいずれか一項に記載のOvXDMシステムに適用されるデコード装置を含む。
【請求項１２】
請求項１１記載のOvXDMシステムにおいて、
前記OvXDMシステムがOvTDMシステム、OvFDMシステム、OvCDMシステム、OvSDMシステム又はOvHDMシステムを含む。
【発明の詳細な説明】
【技術分野】
【０００１】
本発明はOvXDMシステムに適用される一種類のデコード方法、装置とシステムに関する。
【背景技術】
【０００２】
OvXDM（Overlapped X Division Multiplexing、X領域重複多重）システム（Xはいかなる領域を示す。時間T、スペースS、周波数F又は混合H等）の伝統デコードでは、例えば、ビタビデコードは、Trellisグラフの中のノードを絶えずにアクセスする必要があり、各ノードのために二つのストレージを設定し、一つは当該ノードに到達する相対的な最適ルートの保存に使われ、もう一つは当該ノードに到達する相対的な最適ルート対応の測度の保存に使われる。重複回数が
2019531023.tif 000003
である
2019531023.tif 000004
次元変調のシステムに対し、Trellisグラフの中のノード数が
2019531023.tif 000005
であり、デコードプロセスでは、各ノードを拡張する必要があるので、ノード数がデコードの複雑度を決め、デコードの複雑度が重複回数とともに指数的に増える。周知されているように、OvXDMシステムで、重複回数
2019531023.tif 000006
が大きいほどスペクトル効率が高いため、できるだけ重複回数
2019531023.tif 000007
を増やす必要があるが、伝統のデコードアルゴリズム（例えばビタビデコード）は、重複回数が一定の値（
2019531023.tif 000008
）に増える場合、デコードの複雑度が急激に増え、現有デコード方法はリアルタイムのデコード需要を満足しにくい。
【発明の概要】
【発明が解決しようとする課題】
【０００３】
本発明はOvXDMシステムに適用される一種類のデコード方法、装置とOvXDMシステムを提供するものである。
【課題を解決するための手段】
【０００４】
本発明の第一の特徴によれば、本発明はOvXDMシステムに適用される一種類のデコード方法を提供し、下記を含むものである。
【０００５】
受信符号情報シーケンスと関連する拡大マトリックスBを生成する；
上述拡大マトリックスBに対し特異値分解を行う；
全体最小二乗法によりデコードし、デコード出力情報シーケンスを取得する。
【０００６】
本発明の第二の特徴によれば、本発明はOvXDMシステムに適用される一種類のデコード装置を提供し、下記を含むものである。
【０００７】
処理モジュールは、受信符号情報シーケンスと関連する拡大マトリックスBを生成することに使われる；
分解モジュールは、上述拡大マトリックスBに対し特異値分解を行うことに使われる；
デコードモジュールは、全体最小二乗法によりデコードし、デコード出力情報シーケンスを取得することに使われる。
【０００８】
本発明の第三特徴によれば、本発明は一種類のOvXDMシステムを提供し、上述デコード装置を含むものである。
【発明の効果】
【０００９】
上記技術案の採用により、本発明有益な効果は下記の通りである。
【００１０】
本発明の具体的な実施方法では、全体最小二乗法でデコードすることにより、伝統のデコード方法（例えばビタビデコード）では、大量の保存リソースが必要で（ルート保存と距離保存）、且つ重複回数の増加とともに、デコードの複雑度が急激に増える同時に、デコードプロセスは符号ごとにデコードし、デコード出力のリアルタイム性が低い問題を解決している。本発明は信号がノイズに干渉される時に、より精確なデコード結果を得られ、デコードプロセスを簡略化し、システムリソースを省き、デコードの複雑度を下げる同時にデコード効率を上げ、システムの性能を保証している。
【図面の簡単な説明】
【００１１】
【図１】図１は、OvXDM等量畳み込みエンコードモデルである；
【図２】図２は、本発明の方法が一種類の実施方法にあるフローチャートである；
【図３】図３は、OvTDMのTrellisグラフである；
【図４】図４は、本発明のシステムが一種類の実施方法にある機能モジュールを示す図である。
【発明を実施するための形態】
【００１２】
以下に、具体的な実施方法と図面とを結び合わせ、本発明を更なる詳しく説明する。
【００１３】
全体最小二乗法は回帰マトリックスが、干渉があると認め、最小二乘の解を計算する時にこの要素を配慮している。A0とb0は、それぞれ観測不可の誤差無きデータマトリックスと誤差無きデータベクトルとする。実際に観測したデータマトリックスとデータベクトルはそれぞれA=A0+E、b=b0+eである。その中、Eとeはそれぞれ誤差データマトリックスと誤差データベクトルを示す。全体最小二乗の基本的な考えは下記である：校正ベクトル
2019531023.tif 000009
でデータベクトルbを干渉するだけでなく、同時に校正マトリックス
2019531023.tif 000010
でデータマトリックスAを干渉することで、Aとbの間の誤差又はノイズに対し連結補償を行う。
2019531023.tif 000011
【００１４】
マトリックス方程式の計算に対し観測誤差又はノイズによる影響を抑止することで、誤差有りのマトリックス方程式計算から精確なマトリックス方程式計算への変換を実現する。
2019531023.tif 000012
【００１５】
もちろん、校正データマトリックスも校正データベクトルもできるだけ小さいことが望ましい。そのため、全体最小二乗の問題は制約最適問題で下記のように示せる。
2019531023.tif 000013
【００１６】
もともとのマトリックス方程は
2019531023.tif 000014
に書き変えたり、
2019531023.tif 000015
と等量したりすることができる。その中、拡大データマトリックス
2019531023.tif 000016
も拡大校正マトリックス
2019531023.tif 000017
も
2019531023.tif 000018
次元のマトリックスであり、
2019531023.tif 000019
は
2019531023.tif 000020
ベクトルである。
2019531023.tif 000021
拡大マトリックスBの特異値を
2019531023.tif 000022
に分解させる。その中、
2019531023.tif 000023
は
2019531023.tif 000024
のユニタリマトリックスであり、
2019531023.tif 000025
は
2019531023.tif 000026
の対角マトリックスであり、
2019531023.tif 000027
は
2019531023.tif 000028
のユニタリマトリックスである。その全体最小二乗の解は
2019531023.tif 000029
2019531023.tif 000030
である。その中、
2019531023.tif 000031
は
2019531023.tif 000032
の第
2019531023.tif 000033
列の第
2019531023.tif 000034
個の要素である。
【００１７】
OvXDMシステム（Xはいかなる領域を示す。時間T、スペースS、周波数F又は混合H等）は、実際は等量畳み込みエンコードシステムである。そのエンコードモデルは、図1に示すようである。入力する符号シーケンスxはこのモデルと多重波形hにより畳み込み運算を行い、発信符号シーケンスyを得ることで、符号間の相互変位重複を実現する。変位畳み込みプロセスは公式で下記のように示されている。
2019531023.tif 000035
。
【００１８】
その中、Nはデータフレーム長さで、Kは変位重複回数で、重複エンコード後のデータ長さは
2019531023.tif 000036
である。
【００１９】
上記公式を展開すると、各重複後の発信符号は下記のようである。
2019531023.tif 000037
【００２０】
上記一連の公式はマトリックスで下記のように示される。
2019531023.tif 000038
【００２１】
即ち、受信符号シーケンスマトリックスは、
2019531023.tif 000039
と示され、サイズが
2019531023.tif 000040
である。
【００２２】
発信符号シーケンスマトリックスは下記のように示される。
2019531023.tif 000041
、サイズが
2019531023.tif 000042
である。
【００２３】
多重波形係数マトリックスは下記のように示される。
2019531023.tif 000043
、サイズが
2019531023.tif 000044
である。
【００２４】
即ち、OvXDMシステムの畳み込みエンコードプロセスはマトリックスの形で
2019531023.tif 000045
と等量的に示される。
【００２５】
実際のOvXDMシステム受信側では、信号がチャンネルにより伝送されるため、受信される信号は干渉されてしまう。全体最小二乗の方法はこの干渉を考慮しているので、OvXDMシステムのデコードプロセスに適用される。
【００２６】
実施例一：
図2は、本発明のOvXDMシステムに適用されるデコード方法である。その実施方法は、下記ステップを含む：
ステップ102：受信符号情報シーケンスと関連する拡大マトリックスBを生成する。
【００２７】
拡大マトリックス
2019531023.tif 000046
の中では、Hは多重波形係数マトリックスで、yは受信符号情報シーケンスで、マトリックスBのサイズが
2019531023.tif 000047
で、Nはデータフレーム長さで、Kは重複多重回数である。
【００２８】
ステップ104：上述拡大マトリックスBに対し特異値分解を行う。
【００２９】
上述拡大マトリックスBに対し特異値分解を行う。上述拡大マトリックスBを下記のように分解することを含む。
2019531023.tif 000048
【００３０】
その中、
2019531023.tif 000049
は
2019531023.tif 000050
のユニタリマトリックスであり、
2019531023.tif 000051
は
2019531023.tif 000052
の対角マトリックスであり、
2019531023.tif 000053
は
2019531023.tif 000054
のユニタリマトリックスである。
【００３１】
ステップ106：全体最小二乗法によりデコードし、デコード出力情報シーケンスを取得する。
【００３２】
上述全体最小二乗法により解を求める。具体的には下記を含む：公式
2019531023.tif 000055
により、上述受信された符号シーケンスをデコードする。その中、
2019531023.tif 000056
は
2019531023.tif 000057
の第
2019531023.tif 000058
列の第
2019531023.tif 000059
個の要素である。
【００３３】
本発明のOvXDMシステムでは、Xは時間T領域、スペースS領域、周波数F領域又は混合H領域を含む。
【００３４】
下記から時分割重複多重システムOvTDMを例とし、具体的に本発明のデコード方法を説明する：
仮に重複多重回数K=3とすると、図3はK=3時のOvTDMシステムのTrellisグラフである。入力符号シーケンスは
2019531023.tif 000060
で、長さN=10である。矩形波h=[1,1,1]を多重波形とし、OvTDMエンコード後のシーケンスは
2019531023.tif 000061
である。発信側はエンコード後の信号をチャンネルにより伝送する。チャンネルノイズに干渉されるため、受信側の受信した同期・チャンネル推定・バランシング等処理後の信号は下記のようである。
2019531023.tif 000062
【００３５】
全体最小二乗法によるデコードの具体的なステップは下記のようである。
【００３６】
（1）拡大マトリックスBを生成する。
2019531023.tif 000063
【００３７】
その中、Hマトリックスは
2019531023.tif 000064
次元マトリックスであり、つまり12*10の二次元マトリックスである；
2019531023.tif 000065
はマトリックスに対する転置運算で、
2019531023.tif 000066
は
2019531023.tif 000067
次元マトリックスで、つまり12*1の二次元マトリックスである。拡大後に得たBマトリックスは
2019531023.tif 000068
次元マトリックスで、つまり12*11の二次元マトリックスである。
【００３８】
（2）拡大マトリックスBに対し特異値分解を行う
拡大マトリックスBの特異値分解は
2019531023.tif 000069
である。その中、
2019531023.tif 000070
は
2019531023.tif 000071
のユニタリマトリックスであり、
2019531023.tif 000072
は
2019531023.tif 000073
の対角マトリックスであり、
2019531023.tif 000074
は
2019531023.tif 000075
のユニタリマトリックスである。
【００３９】
（3）全体最小二乗法求解
公式
2019531023.tif 000076
により受信符号シーケンスをデコードする。その中、
2019531023.tif 000077
は
2019531023.tif 000078
の第
2019531023.tif 000079
列の第
2019531023.tif 000080
個の要素である。
【００４０】
デコード後の結果は
2019531023.tif 000081
である。それを入力符号シーケンスと比べれば、デコード結果が正しいことが分かる。
【００４１】
全体最小二乗法デコードでは、そのアルゴリズムの複雑度は重複多重回数Kから受ける影響が小さく、主としてはデータフレーム長さNと関連する。
【００４２】
一種類の実施方法では、ステップ102の前に下記ステップをも含む。
【００４３】
ステップ100：受信信号シーケンスに対し同期処理とチャンネルバランシングを行う。
【００４４】
本発明のOvTDMシステムでは、受信側処理プロセスが下記のようである。
【００４５】
発信側はエンコード変調後の信号をアンテナにより発射し、信号は無線チャンネルにて伝送され、受信側は受信信号をマッチング・フィルタリングし、信号をサンプリング・デコードし、最終的にビットストリームの判決出力をする。
【００４６】
ステップ100は具体的に下記ステップを含む。
【００４７】
(1)まず受信信号を同期する。搬送波同期、フレーム同期、符号時間同期等を含む；
(2)サンプリング定理により、各フレーム内の受信信号に対しデジタル化処理を行う；
(3)受信された波形に対し波形発信時間間隔により切断する。
【００４８】
実施例二：
図4は、本発明のOvXDMシステムに適用されるデコード装置である。その中、Xは時間T領域、スペースS領域、周波数F領域又は混合H領域を含む。一種類の実施方法は、処理モジュール、分解モジュールとデコードモジュールを含む。処理モジュールは、受信符号情報シーケンスと関連する拡大マトリックスBを生成することに使われる；分解モジュールは、拡大マトリックスBに対し特異値分解を行うことに使われる；デコードモジュールは、全体最小二乗法によりデコードし、デコード出力情報シーケンスを取得することに使われる。
【００４９】
一種類の実施方法では、拡大マトリックスは
2019531023.tif 000082
である。その中、Hは多重波形係数マトリックスで、yは受信符号情報シーケンスで、マトリックスBのサイズが
2019531023.tif 000083
、Nはデータフレーム長さで、Kは重複多重回数である。
【００５０】
本発明の分解モジュールは、拡大マトリックスBを
2019531023.tif 000084
に分解することにも使われる。その中、
2019531023.tif 000085
は
2019531023.tif 000086
のユニタリマトリックスであり、
2019531023.tif 000087
は
2019531023.tif 000088
の対角マトリックスであり、
2019531023.tif 000089
は
2019531023.tif 000090
のユニタリマトリックスである。
【００５１】
一種類の実施方法では、デコードモジュールは、公式
2019531023.tif 000091
により受信符号情報をデコードすることにも使われる。その中、
2019531023.tif 000092
は
2019531023.tif 000093
の第
2019531023.tif 000094
列の第
2019531023.tif 000095
個の要素である。
【００５２】
本発明のOvXDMシステムに適用されるデコード装置は、前処理モジュールをも含む。前処理モジュールは、受信信号シーケンスに対し同期処理とチャンネルバランシングを行うことに使われる。一種類の具体的な実施方法では、前処理モジュールは受信信号を同期することにも使われ、搬送波同期、フレーム同期、符号時間同期等を含む；サンプリング定理により、各フレーム内の受信信号に対しデジタル化処理を行う；受信された波形に対し波形発信時間間隔により切断する。
【００５３】
実施例三：
本発明のOvXDMシステムは、実施例二のOvXDMシステムに適用されるデコード装置を含む。
【００５４】
一種類の実施方法では、OvXDMシステムはOvTDM（Overlapped Time Division Multiplexing、重複時分割多重）システム、OvFDM（Overlapped Frequency Division Multiplexing、重複周波数分割多重）システム、OvCDM（Overlapped Code Division Multiplexing、重複コード分割多重）システム、OvSDM（Overlapped Space Division Multiplexing、重複スペース分割多重）システム又はOvHDM（Overlapped Hybrid Division Multiplexing、重複混合多重）システムを含んでよい。
【００５５】
上記内容は具体的な実施方法と結び合わせ、本発明に対しさらなる詳しい説明であり、本発明の具体的な実施はこれらの説明に限られると見なしてはならない。本発明の所属技術分野の一般技術者にとっては、本発明の構想を逸脱しない前提では、また若干簡単な演繹や差し替えを行うことができるのである。
【図１】
2019531023.tif 000124
【図２】
2019531023.tif 000125
【図３】
2019531023.tif 000126
【図４】
2019531023.tif 000127
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
OvXDMシステムに適用される一種類のデコード方法であって、下記を含む：
受信符号情報シーケンスと関連する拡大マトリックスBを生成する；
上述拡大マトリックスBに対し特異値分解を行う；
全体最小二乗法によりデコードし、デコード出力情報シーケンスを取得する。
【請求項２】
請求項１記載のOvXDMシステムに適用されるデコード方法において、
前記拡大マトリックスは、
2019531023.tif 000128
である；その中、Hは多重波形係数マトリックスで、yは受信符号情報シーケンスで、マトリックスBのサイズが
2019531023.tif 000129
、Nはデータフレーム長さで、Kは重複多重回数である。
【請求項３】
請求項２記載のOvXDMシステムに適用されるデコード方法において、
前記拡大マトリックスBに対し特異値分解を行う；前記拡大マトリックスBを
2019531023.tif 000130
に分割することを含み、その中、
2019531023.tif 000131
は
2019531023.tif 000132
のユニタリマトリックスであり、
2019531023.tif 000133
は
2019531023.tif 000134
の対角マトリックスであり、
2019531023.tif 000135
は
2019531023.tif 000136
のユニタリマトリックスである。
【請求項４】
請求項３記載のOvXDMシステムに適用されるデコード方法において、
前記全体最小二乗法によりデコードすることである；具体的には下記を含む：公式
2019531023.tif 000137
により上述受信された符号シーケンスをデコードする；その中、
2019531023.tif 000138
は
2019531023.tif 000139
の第
2019531023.tif 000140
列の第
2019531023.tif 000141
個の要素である。
【請求項５】
請求項１記載のOvXDMシステムに適用されるデコード方法において、
前記シーケンスを生成する拡大マトリックスBの前には、さらに受信信号シーケンスに対し同期処理とチャンネルバランシングを行うことを含む。
【請求項６】
請求項２記載のOvXDMシステムに適用されるデコード方法において、
前記エンコードシーケンスを生成する拡大マトリックスBの前には、さらに受信信号シーケンスに対し同期処理とチャンネルバランシングを行うことを含む。
【請求項７】
請求項３記載のOvXDMシステムに適用されるデコード方法において、
前記エンコードシーケンスを生成する拡大マトリックスBの前には、さらに受信信号シーケンスに対し同期処理とチャンネルバランシングを行うことを含む。
【請求項８】
請求項４記載のOvXDMシステムに適用されるデコード方法において、
前記エンコードシーケンスを生成する拡大マトリックスBの前には、さらに受信信号シーケンスに対し同期処理とチャンネルバランシングを行うことを含む。
【請求項９】
OvXDMシステムに適用される一種類のデコード装置であって、下記を含む：
処理モジュールは、受信符号情報シーケンスと関連する拡大マトリックスBを生成することに使われる；
分解モジュールは、上述拡大マトリックスBに対し特異値分解を行うことに使われる；
デコードモジュールは、全体最小二乗法によりデコードし、デコード出力情報シーケンスを取得することに使われる。
【請求項１０】
請求項９記載のOvXDMシステムに適用される装置において、
受信信号シーケンスに対し同期処理とチャンネルバランシングを行うことに使われる前処理モジュールをも含む。
【請求項１１】
請求項９記載のOvXDMシステムに適用されるデコード装置において、
前記拡大マトリックスは
2019531023.tif 000142
であることである；その中、Hは多重波形係数マトリックスで、yは受信符号情報シーケンスで、マトリックスBのサイズが
2019531023.tif 000143
、Nはデータフレーム長さで、Kは重複多重回数である。
【請求項１２】
請求項１１記載のOvXDMシステムに適用されるデコード装置において、
前記分解モジュールは、前記拡大マトリックスBを
2019531023.tif 000144
に分解することにも使われる；その中、
2019531023.tif 000145
は
2019531023.tif 000146
のユニタリマトリックスであり、
2019531023.tif 000147
は
2019531023.tif 000148
の対角マトリックスであり、
2019531023.tif 000149
は
2019531023.tif 000150
のユニタリマトリックスである。
【請求項１３】
請求項１２記載のOvXDMシステムに適用されるデコード装置において、
前記デコードモジュールは、公式
2019531023.tif 000151
により上述受信された符号シーケンスをデコードすることにも使われる；その中、
2019531023.tif 000152
は
2019531023.tif 000153
の第
2019531023.tif 000154
列の第
2019531023.tif 000155
個の要素である。
【請求項１４】
一種類のOvXDMシステムであって、
一種類のOvXDMシステムに適用されるデコード装置を含み、
前記装置は、
受信符号情報シーケンスと関連する拡大マトリックスBを生成することに使われる処理モジュールと、
前記拡大マトリックスBに対し特異値分解を行うことに使われる分解モジュールと、
全体最小二乗法によりデコードし、デコード出力情報シーケンスを取得することに使われるデコードモジュールと、
を含み、
前記OvXDMシステムがOvTDMシステム、OvFDMシステム、OvCDMシステム、OvSDMシステム又はOvHDMシステムを含む。
【請求項１５】
請求項１４記載のOvXDMシステムにおいて、
前記OvXDMシステムが、受信信号シーケンスに対し同期処理とチャンネルバランシングを行うことに使われる前処理モジュールをも含む。
【国際調査報告】
2019531023.tif 000156
2019531023.tif 000157
2019531023.tif 000158
2019531023.tif 000159